(57)【要約】【課題】遊技場における回収作業や清掃作業を能率的に行うことができる、遊技場における床上落下物の収集構造を提供すること。【解決手段】遊技場における床上落下物の収集構造（２０）は、複数の遊技機からなる遊技機島（１１）前方の床（１９）に設けた、遊技機島と実質的に平行に延びる少なくとも１条の溝（２１）と、溝内に配置した、溝の長さ方向に延びる搬送手段（２３）と、搬送手段の上方に配置した、床上の落下物を搬送手段に導き可能に形成した被覆手段（２７）と、搬送手段の終端部に配置した回収ボックス（２５）と、を備える。清掃する者は、床上落下物を搬送手段に導くだけで清掃を終えることができるので能率的である。【選択図】      図３
2004154199.tif 000002
【特許請求の範囲】
【請求項１】
複数の遊技機からなる遊技機島前方の床に設けた、当該遊技機島と実質的に平行に延びる少なくとも１条の溝と、
当該溝内に配置した、当該溝の長さ方向に延びる搬送手段と、
当該搬送手段の上方に配置した、床上の落下物を前記搬送手段に導き可能に形成した被覆手段と、
前記搬送手段の終端部に配置した、前記搬送手段が搬送した落下物を回収可能な回収ボックスと、を備える
ことを特徴とする、遊技場における床上落下物の収集構造。
【請求項２】
前記搬送手段は、前記溝の長さ方向に回転可能なベルトコンベヤを含む、
ことを特徴とする、請求項１に記載の遊技場における床上落下物の収集構造。
【請求項３】
前記回収ボックスは、有用な落下物と無用な落下物とを分別する分別構造を備えている、
ことを特徴とする、請求項１又は２に記載の遊技場における床上落下物の収集構造。
【請求項４】
前記被覆手段は、前記搬送手段の上方を覆う蓋と、前記搬送手段の上方を覆い、かつ、開放可能な投入蓋と、を備える
ことを特徴とする、請求項１乃至３の何れかに記載の遊技場における床上落下物の収集構造。
【請求項５】
前記被覆手段の少なくとも一部は、前記落下物が通過可能な孔開きプレートである、
ことを特徴とする、請求項１乃至３の何れかに記載の遊技場における床上落下物の収集構造。
【発明の詳細な説明】
【０００１】
【発明の属する技術分野】
この発明は、パチンコ機、パチスロ、スロットマシン等の遊技機を備える遊技場において、パチンコ玉、スロット用メダルその他の有用な落下物、及びごみその他の無用な落下物のような床上落下物を収集する収集構造に関する。
【０００２】
【従来の技術】
パチンコ機やパチスロ等を備える遊技場の床上に落下したパチンコ玉やメダル等の回収や、床上のごみの清掃は、人による手作業で行われている（たとえば、特許文献１及び２参照）。
【０００３】
【特許文献１】
特開平６―２６１９８１号公報
【特許文献２】
特開２００１―９６０５６号公報
【０００４】
【発明が解決しようとする課題】
たとえば、パチンコ遊技場やスロット遊技場では、複数のパチンコ遊技機や複数のスロット遊技機を、各遊技機の遊技面が実質的に同一面上に位置するように一列に並べると共に、この一列と別の一列とを背中合わせにして、パチンコ島又はスロット島と呼称される遊技ゾーンを作り、このような遊技ゾーンを複数並列して遊技場が形成される。そして、パチンコ島間又はスロット島間には、各遊技機に対面するように椅子を配置してある。その結果、床上に落下したパチンコ玉又はメダルを回収したり、床上のごみを清掃したりするとき、パチンコ島又はスロット島に設置されている遊技機の遊技面に沿って移動しながら作業をするが、椅子が邪魔となるため、回収や清掃に手間がかかってしまう。
【０００５】
【課題を解決するための手段】
この発明は、遊技場における回収作業や清掃作業を能率的に行うことができる、遊技場における床上落下物の収集構造を提供することを課題とする。この課題を解決するため、この発明の発明者は、遊技場の床に溝を設けると共に、この溝内に搬送手段を配置することに着目した。発明の詳細については項を改めて説明する。なお、いずれかの請求項に記載した発明について行う用語の定義などは、発明の性質に反しない限り、別の請求項に記載した発明にも適用されるものとする。
【０００６】
（請求項１に記載した発明の構成）
請求項１に記載した発明に係る、遊技場における床上落下物の収集構造（以下、請求項１の収集構造という）は、複数の遊技機からなる遊技機島前方の床に設けた、当該遊技機島と実質的に平行に延びる少なくとも１条の溝と、当該溝内に配置した、当該溝の長さ方向に延びる搬送手段と、当該搬送手段の上方に配置した、床上の落下物を前記搬送手段に導き可能に形成した被覆手段と、前記搬送手段の終端部に配置した、前記搬送手段が搬送した落下物を回収可能な回収ボックスと、を備えることを特徴とする。
【０００７】
遊技機島前方とは、たとえば、パチンコ島間、スロット島間、パチンコ島とスロット島間、パチンコ島と遊技場の壁もしくは扉間、又はスロット島と遊技場の壁もしくは扉間と言い換えることもできる。たとえば、パチンコ機とパチスロのように、異なる機種の遊技機が混在する遊技機島もある。落下物は、パチンコ玉、メダルのような回収して再使用する有用な落下物の他、ごみのような再使用することなく、そのまま廃棄する無用な落下物を含む。溝は、溝の両側にある２つの遊技機島の一方に近接して１つの溝を設けたり、遊技機島間のほぼ中央に１つの溝を設けたりする他、それぞれの遊技機島に近接して遊技機島間に２つの溝を設けたりすることができる。溝は遊技機島の端から端まで延びることが好ましいが、中間部分にあってもよい。搬送手段は通常１つでよく、収集の便宜を考慮して２つ配置することもできる。回収ボックスは、搬送手段毎の終端部に配置したり、２つの搬送手段に共通的に１つの回収ボックスを配置したりすることができる。例えば、２つの搬送手段を溝内に配置すると共に、溝のほぼ中央に１つの回収ボックスを配置する。回収ボックスは、回収ボックス自体で有用な落下物と無用な落下物とを分別できることが好ましいが、回収ボックスから落下物を取り出すとき、本発明とは関係なく別途設ける分別手段を用いて分別することもできる。被覆手段は、いくつかの蓋で溝を覆うと共に、任意の蓋に開閉用の取っ手などを取り付け、容易に開閉できるようにする。開閉用の取っ手がついた蓋は、蝶番によって片開き式に床又は溝に取り付けると共に、開いた状態を保つストッパを備える他、ストッパを備えることなく遊技機島の壁面に当てがって開いた状態を保つことができる。さらに、単に溝に被せるだけの構造とし、落下物を溝に導く際、蓋を溝から取り外すようにすることもできる。被覆手段はまた、スノコ、エキスパンドメタル、パンチングメタル又は網のような、落下物が通過する大きさのすきま又は孔を有する孔開きプレートとすることができる。孔開きプレートは、被覆手段の少なくとも一部にあればよいが、搬送手段の全長を単一の孔開きプレートで覆ったり、いくつかに分割した孔開きプレートで覆ったりすることもできる。
【０００８】
（請求項１に記載した発明の作用効果）
請求項１の収集構造によれば、床上の落下物を、床を掃いたり、拭ったりして被覆手段を経て搬送手段に導くだけで落下物の収集ができるため、有用物の回収や無用物の清掃を能率的に行うことができる。また、落下物の収集を遊技機島間単位で行うことができるため、遊技時間中の立て込んだ遊技場で落下物を収集した塵取りなどを別の遊技機島間に運ぶ必要がなく、その際の無用な気配りや緊張を作業者に及ぼすことがない。
【０００９】
（請求項２に記載した発明の構成）
請求項２に記載した発明に係る、遊技場における床上落下物の収集構造（以下、請求項２の収集構造という）は、請求項１の収集構造に限定が加わり、前記搬送手段は、前記溝の長さ方向に回転可能なベルトコンベヤを含むことを特徴とする。ベルトコンベヤは電動機によって駆動するが、常に駆動しておく必要はない。落下物の収集は日に何回か行うため、それに合わせて駆動すればよく、駆動の都度、電動機のスイッチを手動でＯＮにする他、例えば、被覆手段の特定の蓋を開けたとき、それに連動して電動機を自動的にＯＮにすることもできる。逆に、電動機の駆動を停止するとき、手動でＯＦＦにする他、タイマーの使用によって自動的にＯＦＦにすることができる。
【００１０】
（請求項２に記載した発明の作用効果）
請求項２の収集構造によれば、被駆動のベルトコンベヤを使用しているため、落下物がパチンコ玉であっても、メダルであっても、遊技場で使うカードであっても収集でき、また多少の湿気を帯びていても収集できる。換言すると、落下物の種類や性状に関係なく収集できる。
【００１１】
（請求項３に記載した発明の構成）
請求項３に記載した発明に係る、遊技場における床上落下物の収集構造（以下、請求項３の収集構造という）は、請求項１又は２の収集構造に限定が加わり、前記回収ボックスは、有用な落下物と無用な落下物とを分別する分別構造を含むことを特徴とする。有用な落下物はパチンコ玉又はメダルであり、その大きさが定まっているため、ごみのような無用な落下物は通過するがパチンコ玉やメダルは通過しない、エキスパンドメタル、パンチングメタル又は網を回収ボックスの入口に配置する。さらに、落下物が主としてパチンコ玉である場合、パチンコ玉が通過しないすきまを有するスノコを回収ボックスの入口に配置すると共に、スノコを下向き傾斜に作る。
【００１２】
（請求項３に記載した発明の作用効果）
請求項３の収集構造によれば、回収ボックスの分別構造が有用な落下物と無用な落下物とを分別するため、収集後に分別作業をする必要がなく、有用な落下物の再利用及び無用な落下物の廃棄を能率的に行うことができる。
【００１３】
（請求項４に記載した発明の構成）
請求項４に記載した発明に係る、遊技場における床上落下物の収集構造（以下、請求項４の収集構造という）は、請求項１乃至３の何れかの収集構造に限定が加わり、前記被覆手段は、前記搬送手段の上方を覆う蓋と、前記搬送手段の上方を覆い、かつ、開放可能な投入蓋と、を備えることを特徴とする。蓋及び投入蓋は、両者が相俟って溝の全長に延びるように形成する。そのためには、複数の蓋と、少なくとも１つの投入蓋との組合せとすることが好ましい。複数の投入蓋を設ける場合、これら投入蓋は離れた場所に配置する。蓋もまた、開放可能であることが好ましい。投入蓋には取っ手などを設け、その取っ手などを握って簡単に開放できるように形成する。
【００１４】
（請求項４に記載した発明の作用効果）
請求項４に記載した収集構造によれば、床上の落下物を収集しようとするとき、投入蓋を開放し、そこから落下物を搬送手段上に落とすことができる。そして、落下物の収集が終わったとき、投入蓋を閉め、人の足が落ちるのを防ぐ。
【００１５】
（請求項５に記載した発明の構成）
請求項５に記載した、遊技場における床上落下物の収集構造（以下、請求項５の収集構造という）は、請求項１乃至３の何れかの収集構造に限定が加わり、前記被覆手段の少なくとも一部は、前記落下物が通過可能な孔開きプレートであることを特徴とする。溝の全長に延びる孔開きプレートによって被覆手段を形成する他、孔開きプレートと、孔無しプレートとの組合せで被覆手段を形成することもできる。いずれも複数に分割した形態とし、それぞれが溝に着脱可能であることが好ましい。
【００１６】
（請求項５に記載した発明の作用効果）
請求項５の収集構造によれば、床上の落下物を収集しようとするとき、落下物を孔開きプレートから搬送手段上に落とすだけでよく、収集の都度、開放する手間を省くことができる。
【００１７】
【発明の実施形態】
以下に、この発明の実施形態について図面を参照して説明する。図面中、図１は遊技場の一部と床上落下物の収集構造とを示す斜視図、図２は、搬送手段と被覆手段と回収ボックスとを示す、搬送手段の搬送方向に直交する面で切断した断面図、図３は、搬送手段と被覆手段と回収ボックスとを示す、搬送手段の搬送方向に延びる面で切断した断面図、図４は回収ボックスに設ける分別構造を示す平面図である。図５は、孔開きプレートの平面図である。
【００１８】
（遊技場の概略）
パチンコ機やスロット等を備える遊技場では、図１に示すように、複数の遊技機島１１，１１・・を並列配置してある。図１に示す遊技機島１１は、遊技機島の代表例であるパチンコ島である。各パチンコ島１１は、複数のパチンコ機１３それぞれの遊技面１３ａが実質的に同一面上に位置するように、複数のパチンコ機１３，１３・・を横方向に配列すると共に、このような配列を背中合わせにして形成されている。各パチンコ機１３で遊技に供されたパチンコ玉は、傾斜シュート（図示を省略）によって一箇所に集められた後、揚送装置（図示を省略）によって上部タンク１５に導かれて再び遊技に供される。隣接するパチンコ島１１，１１間には、一方のパチンコ島１１から他方のパチンコ島１１へパチンコ玉を供給する渡り樋１７が上部タンク１５を接続した形態で設けられている。前記構成自体は公知である。
【００１９】
（収集構造の構成）
図１乃至４に示す収集構造２０は、複数のパチンコ島１１を並列してなる遊技場のパチンコ島１１，１１間の床１９に設けた、パチンコ機１３，１３・・の遊技面１３ａ，１３ａ・・と実質的に平行に延びる溝２１と、溝２１内に配置した、その長さ方向に延びる搬送手段２３と、搬送手段２３の終端部に配置した回収ボックス２５と、搬送手段２３の上方に配置した、床１９上の落下物を搬送手段２３に導くことが可能に形成された被覆手段２７と、を備えている。
【００２０】
各パチンコ島１１は、パチンコ機１３，１３・・の遊技面１３ａ，１３ａ・・下側に位置するように、膳板２９を備えている。換言すると、パチンコ機１３，１３・・を載せる台の一部を張り出して膳板２９としてある。溝２１は、膳板２９の下方に位置し、かつ、膳板２９と実質的に同じ長さに渡ってパチンコ島１１の横方向へ延びるように、パチンコ島１１の前面パネル１１ａに近接して床１９に設けられている。収集しようとする主たる落下物がパチンコ玉又はメダルであるから、溝２１の幅、つまりパチンコ機１３，１３・・の遊技面１３ａ，１３ａ・・と直交する方向の距離は、膳板２９の幅と同じ程度でよい。また、溝２１の深さは、溝２１内に配置する搬送手段２３に応じて定めることができる。
【００２１】
搬送手段２３は、溝２１の長さ方向に延びるベルトコンベヤを主要部品とする。正面形状がＵ字状を呈するコンベヤフレーム３１を溝２１の底面に固定すると共に、駆動プーリ３３をコンベヤフレーム３１に回転可能に取り付け、従動プーリ３５をコンベヤフレーム３１に回転可能に、かつ、駆動プーリ３３との間の距離を調整可能に取り付け、搬送ベルト３７を駆動プーリ３３及び従動プーリ３５に掛け渡してある。駆動プーリ３３と駆動モータ３９とを駆動ベルト４１で連結し、従動プーリ３５をテンション調整ボルト４３によって位置の調整ができるようにテンション調整ボルト４３と係合してベルトコンベヤが形成されている。床１９上の落下物を搬送ベルト３７に確実に導くための傾斜面を有するガイド４５を、搬送ベルト３７の両側に配置することが好ましい。
【００２２】
回収ボックス２５は、有用物回収部２５ａと、ごみ受入部２５ｂとからなり、搬送手段２３の終端部、つまり搬送手段２３によって搬送された落下物が搬送手段２３から離れる個所の床１９に設けた孔４７内に取出し可能に収納してある。有用物回収部２５ａの入口側底面には下向き傾斜したスノコ（分別構造）２５ｃを配置してある。スノコ２５ｃのすきまは、パチンコ玉より小さい。その結果、搬送手段２３の搬送ベルト３７から落下したパチンコ玉はスノコ２５ｃ上を転がり、有用物回収部２５ａに入る。一方、スノコ２５ｃのすきまより小さいごみは、スノコ２５ｃを通過してごみ受入部２５ｂに入る。有用物回収部２５ａとごみ受入部２５ｂとは、例えば、Ｕ字状の２つのフックをごみ受入部２５ｂに取り付けておき、これらフックを有用物回収部２５ａに設けた突起に引っ掛けて結合状態とし、フックを突起から外して分離状態とするように、着脱可能に形成することが好ましい。この場合、結合状態で有用物回収部２５ａの取っ手２５ｄを持って回収ボックス２５を孔４７から引き上げ、また孔４７に収納する。有用物回収部２５ａをごみ受入部２５ｂに単に載せるだけの場合、個別に孔４７から引き上げ、また個別に孔４７内に収納する。
【００２３】
被覆手段２７は、搬送手段２３の上方を覆う蓋５１と、搬送手段２３の上方を覆い、かつ、開放可能な投入蓋５３と、を備える。図１の実施形態では、蓋５１と投入蓋５３とにハッチを入れ、それぞれ１つずつ設けたように示してあるが、実際には蓋５１と投入蓋５３とが相俟って搬送手段２３の全体を覆うように複数の蓋５１と、少なくとも１つの投入蓋５３とを配置する。複数の投入蓋５３を、互いに離れた位置に配置するようにすれば、床１９上の落下物収集を能率的に行うことができる。蓋５１と投入蓋５３とは、溝２１の上縁に設けた段部２１ａに載って搬送手段２３を覆った状態に保たれる。この状態で、蓋５１及び投入蓋５３が床１９と実質的に同一面上に位置するように蓋５１及び投入蓋５３の寸法を定める。投入蓋５３はヒンジ５３ａ（図２の部分拡大図参照）によって片開きに開放可能であり、投入蓋５３を開放した状態に保って床１９上の落下物を搬送手段２３に導く。
【００２４】
投入蓋５３を開放状態に保つには、投入蓋５３をパチンコ島１１の前面パネル１１ａに当てがうだけでもよく、また前面パネル１１ａにストッパ（図示を省略）を回転可能に取り付けておき、ストッパを垂直位置に回転して投入蓋５３の縁部をストッパで受け止め、投入蓋５３が倒れるのを防ぐようにしてもよい。さらに、２つのクランクアーム（図示を省略）を床１９と投入蓋５３とにそれぞれ枢着すると共に、両者をピン結合し、投入蓋５３を持ち上げて、ピンの中心が２つのクランクアームの枢着点を結ぶ線を超えたとき、クランクアームのそれ以上の揺動ができないように形成することにより、投入蓋５３を開放位置に保持できる。
【００２５】
なお、上記した蓋５１の全部又は一部の代わりに、図５に示すような孔開きプレート６１を採用することもできる。孔開きプレート６１には、パチンコ玉又はメダルが通貨可能な相当数の孔群６３を形成してある。このような孔開きプレート６１であれば、開放しなくても孔群６３からパチンコ玉又はメダルを溝２１内に落下させることができるので、上記の投入蓋５３を開放しなくても済む。また、投入蓋５３自体を省略してもよい。
【００２６】
（実施形態の収集構造の作用）
床１９上の落下物を収集しようとするとき、箒やモップを使用して床１９を掃いたり、拭ったりして落下物を、被覆手段２７の、搬送手段２３に投入することができる場所に導く。すなわち、被覆手段２７が蓋５１と投入蓋５３とからなる場合、投入蓋５３を開放して落下物をここに導く。一方、被覆手段２７が少なくとも一部に孔開きプレートを備える場合、落下物を孔開きプレート６１に導く。そして、落下物を搬送手段２３に投入すると、落下物は搬送手段２３によって搬送され、回収ボックス２５に至って分別収集される。収集が終了した後、被覆手段２７の投入蓋５３を閉じる。
【００２７】
【発明の効果】
この発明によれば、遊技場におけるパチンコ玉又はメダルの回収作業やごみの清掃作業を能率的に行うことができる。
【図面の簡単な説明】
【図１】遊技場の一部と床上落下物の収集構造とを示す斜視図である。
【図２】搬送手段と被覆手段と回収ボックスとを示す、搬送手段の搬送方向に直交する面で切断した断面図である。
【図３】搬送手段と被覆手段と回収ボックスとを示す、搬送手段の搬送方向に延びる面で切断した断面図である。
【図４】回収ボックスに設ける分別構造を示す平面図である。
【図５】孔開きプレートの平面図である。
【符号の説明】
１１  パチンコ島
１１ａ  前面パネル
１３  パチンコ機
１３ａ  遊技面
１５  上部タンク
１７  渡し樋
１９  床
２０  収集構造
２１  溝
２１ａ  段部
２３  搬送手段
２５  回収ボックス
２５ａ  有用物回収部
２５ｂ  ごみ受入部
２５ｃ  スノコ
２５ｄ  取っ手
２７  被覆手段
２９  膳板
３１  コンベヤフレーム
３３  駆動プーリ
３５  従動プーリ
３７  搬送ベルト
３９  駆動モータ
４１  駆動ベルト
４３  テンション調整ボルト
４５  ガイド
４７  孔
５１  蓋
５３  投入蓋
６１  孔開きプレート
６３  孔
【図１】
2004154199.tif 000003
【図２】
2004154199.tif 000004
【図３】
2004154199.tif 000005
【図４】
2004154199.tif 000006
【図５】
2004154199.tif 000007